(57)【要約】【課題】設置された監視カメラを回収することなく、任意の設定が可能な監視カメラの制御方法を提供する。【解決手段】保護ケース４に収納した監視カメラ１の前面に配置されたガラス４ａの前面にＰＤＡ５（携帯情報端末）の表示面５ａ（液晶表示装置など）を密着させ、監視カメラ１のレンズユニット１０と対向して配置する。この状態でＰＤＡ５が全画面で黒、全画面で白の２つの状態を用いて、白と黒の点滅パターンを発生させることにより、特定の信号を監視カメラ１に送ることができる。監視カメラ１では、この特定のパターンを解読することにより外部からの信号を受け取ることができる。【選択図】  図１
2004289324.tif 000002
【特許請求の範囲】
【請求項１】
撮影した映像をデジタル映像信号に変換してネットワークに送出する監視カメラと、断続した特定のパターンの光を発生するパターン発生機器とを用いてなり、
前記監視カメラは、前記パターン発生機器の光を前記デジタル映像信号に変換し、同デジタル映像信号の明るさを閾値により２値の輝度データに変換し、時間的に連続する前記輝度データ列が予め定めた特定のパターンと認識された際、同特定のパターンと対応するデータを前記監視カメラの設定データとして設定してなることを特徴とする監視カメラの制御方法。
【請求項２】
前記特定のパターンの認識は、前記監視カメラの電源が投入されてから所定時間実施してなることを特徴とする請求項１記載の監視カメラの制御方法。
【発明の詳細な説明】
【０００１】
【発明の属する技術分野】
本発明は、監視カメラの制御方法に係わり、より詳細には、ネットワークに接続される監視カメラの初期設定方法に関する。
【０００２】
【従来の技術】
従来、ネットワーク用の監視カメラ１は、例えば図５のシステム図に示すように、ネットワークを中継するハブ２を介してパソコン３に接続される形態となっていた。これらの監視カメラ１は、図６の制御ブロック図に示すように、レンズユニット１０から入った光（映像）がＣＣＤ（Ｃｈａｒｇｅ−Ｃｏｕｐｌｅｄ  Ｄｅｖｉｃｅｓ）１１でアナログの電気信号に変換された後、Ａ／Ｄ変換部１２でアナログ信号からデジタル信号に変換される。
この映像のデジタル信号は画像圧縮部１３でデータ圧縮され、通信部１４を介してネットワークに送信される。送信されたデータは、図５に示すパソコン３で受信され、画面３ａに表示されるようになっている。
【０００３】
一方、Ａ／Ｄ変換部１２でデジタル化されたデータは、制御部１５に入力されており、制御部１５では、このデータの値（輝度）により、レンズユニット１０に備えられている絞り機構１０ａを制御し、適正な露出となるように制御している。また、制御部１５は、画像圧縮部１３や通信部１４に接続されており、それぞれを制御している。
【０００４】
また、これらの監視カメラ１は、例えば図７に示すように、前面にガラス４ａを備えた屋外設置用の保護ケース４（防水ケース）に収納され、見晴らしがよい比較的高い場所に設置される場合がある。
【０００５】
監視カメラは、通常、複数台がパソコンに接続されるため、これらを区別する方法としてＩＰアドレスで識別するようにしている。これらのＩＰアドレスは設置される台数に対応して、それぞれの監視カメラで重複しないように設定する必要がある。
設定方法としては、監視カメラ本体に予め特定のＩＰアドレスを設定しておき、１台ずつ単独でネットワークに接続して、パソコンから新たなＩＰアドレスを設定する方法や、１台ずつＲＳ−２３２Ｃなどの通信方式を介して設定する方法がある（例えば、特許文献１参照。）。
【０００６】
しかしながら、全ての監視カメラを設置した後、同じＩＰアドレスを２台の監視カメラに誤って設定した場合などは、パソコン側からＩＰアドレスの変更を試みても、同一ＩＰアドレスを持つ監視カメラの送信データがネットワークの回線上で衝突するため、それ以降はパソコンから制御することができなくなる。
このため、誤って設定したＩＰアドレスを持つ監視カメラを回収し、リセットをかけて初期状態に戻すか、前述のようにＲＳ−２３２Ｃなどの通信方式を介して設定する必要がある。監視カメラを回収するためには、高所に設置された屋外設置用の保護ケースを分解しなければならず、回収のための作業に手間がかかっていた。
【０００７】
【特許文献１】
特開２００２−５５８９４号公報  （第３−４頁、第１図）
【０００８】
【発明が解決しようとする課題】
本発明は以上述べた問題点を解決し、設置された監視カメラを回収することなく、任意の設定が可能な監視カメラの制御方法を提供することを目的としている。
【０００９】
【課題を解決するための手段】
本発明は、上記問題点を解決するため、撮影した映像をデジタル映像信号に変換してネットワークに送出する監視カメラと、断続した特定のパターンの光を発生するパターン発生機器とを用いてなり、
前記監視カメラは、前記パターン発生機器の光を前記デジタル映像信号に変換し、同デジタル映像信号の明るさを閾値により２値の輝度データに変換し、時間的に連続する前記輝度データ列が予め定めた特定のパターンと認識された際、同特定のパターンと対応するデータを前記監視カメラの設定データとして設定する。
【００１０】
また、前記特定のパターンの認識は、前記監視カメラの電源が投入されてから所定時間実施する。
【００１１】
【発明の実施の形態】
以下、図面に基づいて本発明による監視カメラの制御方法を詳細に説明する。
本願では、すでに屋外等に設置された監視カメラの設定データを変更する方法として、監視カメラの唯一の入力部分である撮像装置、つまり、光を用いることが特徴である。
例えば、図１（Ａ）の斜視図及び図１（Ｂ）の断面図に示すように、保護ケース４に収納した監視カメラ１の前面に配置されたガラス４ａの前面にＰＤＡ５（携帯情報端末）の表示面５ａ（液晶表示装置など）を密着させ、監視カメラ１のレンズユニット１０と対向して配置する。このように配置すると、レンズユニット１０の視野角のほぼ全域をＰＤＡ５の表示面５ａが覆うことになる。
【００１２】
この状態でＰＤＡ５が全画面で黒、全画面で白の２つの状態を用いて、白と黒の点滅パターンを発生させることにより、特定の信号を監視カメラ１に送ることができる。つまり、ＰＤＡ５を断続した特定のパターンの光を発生するパターン発生機器として用いる。監視カメラ１では、この特定のパターンを解読することにより外部からの信号を受け取ることができる。
この特定のパターンは送り側と受け側とで予めプロトコルを定めておけばよい。このプロトコルとしては、モールス信号やＲＳ−２３２などで使用される調歩同期の方式などがあるが、本願では調歩同期方式を用いた例を説明する。
【００１３】
調歩同期方式では同期信号がデータ信号と組になっており、比較的簡単なプログラムで実現できる。図２（Ａ）は一つのキャラクタ、ここでは１バイトのデータを調歩同期方式で通信する場合の点滅パターンの一例を図示したものでる。図において、上側が論理”１”であり、下側が論理”０”である。
一つのキャラクタは、スタートビットが１ビットと、ストップビットが１ビット、そして、これらに挟まれたキャラクタビット（８ビット）とから構成されている。スタートビットは１キャラクタの開始を表す同期信号であり、論理”１”である。また、ストップビットは１キャラクタの終了を表す同期信号であり、論理”０”である。
キャラクタビットは、下のビット位置から順に送出され、８つのビットで１バイトを構成している。この図の例ではＥＤ（１６進数）となる。
【００１４】
本願では１ビットの時間を１ｍＳ（ミリセカンド）と規定し、１キャラクタは１０ｍＳとなる。従って送信側では１ｍＳごとに送出するデータビットに合わせて論理”１”、又は論理”０”とすればよい。送信データが１キャラクタ以上あれば、以上を続けて繰り返すことになる。従って、ＰＤＡ側では論理”１”を画面が白、論理”０”を画面が黒として制御することになる。
【００１５】
受信側、つまり監視カメラ側では、図６でＡ／Ｄ変換部１２で変換されたデータ（輝度）を閾値で判定し、これより輝度が大きい場合を論理”１”、これより小さい場合を論理”０”として認識する。
論理”１”が最初に認識されると、スタートビットと判定し、０．５ｍＳだけ待機する。これは各ビットの中心を捉えることにより、時間変動のマージンを取るためである。そして、０．５ｍＳの待機が終了すると、１ｍＳごとに論理”１”と論理”０”とを検出し、この中からキャラクタビットを抽出することにより、１バイトの受信が完了する。続けて信号が来れば同様に別のキャラクタとして受信する。
【００１６】
図２（Ｂ）はこのようにして複数のキャラクタが受信された例を示しており、最初にＩＰアドレス設定コマンドが１バイト、続いて設定されるべきＩＰアドレスが４バイト、さらにコマンドの終了を表す終了コードが１バイトあり、全体で１つの設定レコードを表している。監視カメラでは、この情報により自分自身のＩＰアドレスを書き換える。
なお、本願では入力された映像がこのような設定データであるか、通常の監視画像であるを識別するため、監視カメラの電源投入から所定の時間、例えば１０秒間だけの間、前述の受信を行なうようにしている。通常、監視カメラの電源ＯＮ／ＯＦＦは、映像を監視する監視ルーム（図示せず）で集中的に管理するように配線されており、実際にＰＤＡ５を操作する要員が監視ルームの要員へ、例えば携帯電話を用いて電源投入のタイミングを指示することができる。
【００１７】
次にＰＤＡ（携帯情報端末）の送信動作について、図３のフローチャートを用いて説明する。なお、フローチャートでＳＴはステップを表し、ＳＴに続く数字はステップ番号を、また判断のステップでＹはＹｅｓを、ＮはＮｏをそれぞれ表している。
まず画面を黒にし（ＳＴ１）、送信の開始指示を待つ（ＳＴ２）。これはＰＤＡに備えられたボタンの押下を待っている。指示がなければＳＴ２へジャンプする（ＳＴ２−Ｎ）。指示が有れば（ＳＴ３−Ｙ）、送信データのキャラクタを指定し（ＳＴ３）、スタートビットを送信する（ＳＴ４）。これは１ｍＳの間、画面を白にすることである。
次に、指定されたキャラクタのビット位置を指定して、そのビットを取り出し（ＳＴ５）、ビットの論理を判定し（ＳＴ６）、論理１なら１ｍＳの間、画面を白にし（ＳＴ７）、論理０なら１ｍＳの間、画面を黒にする（ＳＴ８）。
そして、８ビット（１キャラクタ）が終了でなければ（ＳＴ９−Ｎ）、ＳＴ５から繰り返し、終了したら（ＳＴ９−Ｙ）、ストップビットを送出する（ＳＴ１０）。これは１ｍＳの間、画面を黒にすることである。
そして、全キャラクタの送信が終了していなければ（ＳＴ１１−Ｎ）、ＳＴ３から繰り返し、終了であれば（ＳＴ１１−Ｙ）、この処理を終了する。
【００１８】
次に監視カメラの受信動作について、図４のフローチャートを用いて説明する。
監視カメラの電源が投入されると、輝度が閾値以上か判定する（ＳＴ２０）。以下であれば（ＳＴ２０−Ｎ）、１０秒経過したか判定する（ＳＴ２１）。経過していなければ（ＳＴ２１−Ｎ）、ＳＴ２０から繰り返す。これはスタートビットを待っている。１０秒経過していれば（ＳＴ２１−Ｙ）、この処理を終了する。つまり、通常の監視カメラの機能に復帰する。
輝度が閾値以上であれば（ＳＴ２０−Ｙ）、０．５ｍＳの経過を待ち（ＳＴ２２）、この時の輝度データを閾値に従って論理１又は論理０として取込む（ＳＴ２３）。そして、０．５ｍＳの経過を待ち（ＳＴ２４）、１０ビットの取込みが終了したか判定する（ＳＴ２５）。終了していなければ（ＳＴ２５−Ｎ）、ＳＴ２２から繰り返す。終了していれば（ＳＴ２５−Ｙ）、キャラクタビットの８ビット分を１バイトのキャラクタとして格納する（ＳＴ２６）。
そして、受信したキャラクタが終了コードでなければ（ＳＴ２７−Ｎ）、ＳＴ２０から繰り返し、終了コードなら（ＳＴ２７−Ｙ）、受信したデータ列（レコード）に従って設定値（ＩＰアドレス）を書き換える（ＳＴ２８）。そして、この処理を終了する。つまり、通常の監視カメラの機能に復帰する。
【００１９】
以上のように監視カメラを設置したままで設定動作を行なうことができるため、作業性が改善される。
また、設定データの受信と通常の監視カメラの機能とを電源投入時から所定時間で判定しているため、この２つのモードを確実に切り換えることができる。
また、図示しないが、図２（Ａ）において、ストップビットの前にパリティビットを設けてもよい。
また、本願ではネットワークカメラを前提としているが、これに限るものではなく、単独の監視カメラの設定に応用してもよい。
【００２０】
【発明の効果】
以上説明したように、本発明による監視カメラの制御方法によれば、請求項１に係わる発明は、撮影した映像をデジタル映像信号に変換してネットワークに送出する監視カメラと、断続した特定のパターンの光を発生するパターン発生機器とを用いて、
監視カメラは、パターン発生機器の光をデジタル映像信号に変換し、同デジタル映像信号の明るさを閾値により２値の輝度データに変換し、時間的に連続する輝度データ列が予め定めた特定のパターンと認識された際、同特定のパターンと対応するデータを監視カメラの設定データとして設定することにより、
監視カメラを設置したままで設定動作を行なうことができるため、作業性が改善される。
【００２１】
また、請求項２に係わる発明は、特定のパターンの認識を監視カメラの電源が投入されてから所定時間実施することにより、設定データの受信と通常の監視カメラの機能とを確実に切り換えることができる。
【図面の簡単な説明】
【図１】本発明による監視カメラの一実施例を示す（Ａ）は斜視図、（Ｂ）は断面図である。
【図２】本発明による監視カメラの制御方法の一実施例を示す（Ａ）はキャラクタビットの構成図、（Ｂ）は設定データのキャラクタ構成図である。
【図３】本発明による制御の一実施例を示す送信側のフローチャートである。
【図４】本発明による制御の一実施例を示す受信側のフローチャートである。
【図５】ネットワークカメラシステムの一実施例を示すブロック図である。
【図６】監視カメラの一実施例を示す制御ブロック図である。
【図７】監視カメラが格納された保護ケースの一実施例を示す斜視図である
【符号の説明】
１  監視カメラ
２  ハブ
３  パソコン
３ａ  画面
４  保護ケース
４ａ  ガラス
５  ＰＤＡ（携帯情報端末）
１０  レンズユニット
１０ａ  絞り機構
１１  ＣＣＤ（Ｃｈａｒｇｅ−Ｃｏｕｐｌｅｄ  Ｄｅｖｉｃｅｓ）
１２  Ａ／Ｄ変換部
１３  画像圧縮部
１４  通信部
１５  制御部
【図１】
2004289324.tif 000003
【図２】
2004289324.tif 000004
【図３】
2004289324.tif 000005
【図４】
2004289324.tif 000006
【図５】
2004289324.tif 000007
【図６】
2004289324.tif 000008
【図７】
2004289324.tif 000009